(57)【特許請求の範囲】
【請求項１】
上階及び中階及び下階の躯体の室外側に固定した左右の方立材と、左右の方立材間の上階の躯体と略対向する位置に架設した上の無目材と、左右の方立材間の中階の躯体と略対向する位置に架設した下の無目材と、左右の方立材と上下の無目材が構成する開口部に固定した１枚のパネルと、上下の無目材の間で且つパネルの室内側で左右の方立材に架け渡して設けた横材と、パネルの室内側に位置し上端部を横材に固定し下端部を下の無目材に固定した耐火ボードと、中階と下階の層間を塞ぐ耐火性を有する層間塞ぎ材とを備え、耐火ボードは、中階の躯体の室外側面と略対向する位置に設けてあり、層間塞ぎ材は、室外側端部を耐火ボードに固定し且つ室内側端部を中階の床材に固定して設けてあり、パネルの室内側面と横材の室外側面の間は、耐火シール材で密封してあることを特徴とするカーテンウォール。
【発明の詳細な説明】
【０００１】
【発明の属する技術分野】
本発明はカーテンウォールに関するものである。
【０００２】
【従来の技術】
カーテンウォールは、アルミフレームで組んだ骨組にガラス等のパネルを固定してビルの外壁を成したものであるが、パネル内側の各階の床部に面した部分には、火災発生時に上下階への延焼を防止するために、耐火ボードを設置する場合が多い。その場合に従来のカーテンウォールは、一階分が窓部を形成する窓ユニットと床に面した部分を形成するスパンドレルユニットとに上下に分割されており、各ユニットに各々ガラスパネルを装着しなければならなかった。スパンドレルユニットは、特開昭６０−１４１９４２号公報に開示されているように、中階の躯体の室外側面と略対向する位置に中階から下階への延焼を防止する耐火ボードを設け、ガラスパネルを装着するフレーム枠の室内側に設けた補強材枠に耐火ボードを固定するとともに、補強材枠で中階と下階の層間を塞ぐ構造となっていた。
【０００３】
【発明が解決しようとする課題】
このように一階分を上下二つのユニットで構成すると、部品点数が多くなってコスト高となり、また施工にも時間が掛かるという不都合があった。本発明は以上に述べた実情に鑑み、耐火性を有するカーテンウォールの施工性の向上とコストダウンを目的とする。
【０００４】
【課題を解決するための手段】
上記の課題を達成するために本発明のカーテンウォールは、上階及び中階及び下階の躯体の室外側に固定した左右の方立材と、左右の方立材間の上階の躯体と略対向する位置に架設した上の無目材と、左右の方立材間の中階の躯体と略対向する位置に架設した下の無目材と、左右の方立材と上下の無目材が構成する開口部に固定した１枚のパネルと、上下の無目材の間で且つパネルの室内側で左右の方立材に架け渡して設けた横材と、パネルの室内側に位置し上端部を横材に固定し下端部を下の無目材に固定した耐火ボードと、中階と下階の層間を塞ぐ耐火性を有する層間塞ぎ材とを備え、耐火ボードは、中階の躯体の室外側面と略対向する位置に設けてあり、層間塞ぎ材は、室外側端部を耐火ボードに固定し且つ室内側端部を中階の床材に固定して設けてあり、パネルの室内側面と横材の室外側面の間は、耐火シール材で密封してあることを特徴とする。
【０００５】
【発明の実施の形態】
図１から図５は本発明のカーテンウォールの一実施形態を示している。このカーテンウォールは、上階及び中階及び下階の躯体２の室外側に方立材３を固定し、左右２本の方立材３，３間の上階３３の躯体２と対向する位置に上の無目材４を架設し、左右２本の方立材３，３間の中階３４の躯体２と対向する位置に下の無目材５を架設し、左右の方立材３，３と上下の無目材４，５によって形成される開口部にそれぞれ一枚のパネル６を固定した構成となっている。なお、ここで上階の躯体は屋上であっても良く、下階の躯体は１階の床であっても良い。各階の床部１１は、床材１と床材を支える躯体２及び天井１２等から成るが、パネル６と床部１１の間に耐火ボード８を設置するとともに、中階３４と下階３５の間を層間塞ぎ材９によって塞いであり、火災が発生しても他の階に延焼し難い耐火構造となっている。以下、本カーテンウォールの構成について詳細に説明する。
【０００６】
方立材３はアルミ合金の押出し成形品で、図２に示すように室外側に板状のフィン１３を有し、室内側に断面コ字形のレール部１４を有し、真ん中の部分がパネル取付部１５となっている。パネル取付部１５には押縁１６が取り付けられ、押縁１６とパネル取付部１５の室外側の横壁との間でパネル６の側縁部を挟持している。フィン１３には、日射しを遮って省エネ効果を生み出す作用と、方立材の断面性能を向上させ、方立材の室内側への出っ張り量を小さくして室内空間を広げる作用がある。また方立材３は、一階の高さと同じ長さのものを、レール部１４に挿入したジョイントスリーブ１７により上下に連結したものとなっている。方立材の連結部１８は、図１に示すように躯体２の正面に位置しており、躯体から室外側に張り出すブラケット１９に取り付けたファスナ２０に、方立材の連結部１８が金具２１により連結されている。
【０００７】
上下の無目材４，５は、下の方立材５が上になって上下に嵌合する形で、左右の方立材３，３の連結部１８の下側に配置され、両側端部がアングル状の固定金具２２で方立材３の側面に固定されている。こうして一階分の左右の方立材３，３と、その方立材の上端部間に架設した上の無目材４、及びすぐ下の階の分の方立材の上端部間に架設した下の無目材５とで構成される開口に、一枚のパネル６が取り付けられる。
【０００８】
上下の無目材４，５の間で且つパネル６の室内側には、左右の方立材３，３に架け渡して横材７を設けてある。横材７の両側端部は、アングル状の固定金具２３で方立材３に固定されている。横材７の室外側の面とパネル６の室内側の面との間には隙間があり、その隙間は図３に示すように、弾力性のあるバックアップ材２５を横材７の室外側面の突起２４に係止させて埋め込むとともに、バックアップ材２５の上に耐火シール材１０を充填して密封してある。
【０００９】
また、横材７と下の無目材５には耐火ボード取付板２６，２７を設けてあって、この耐火ボード取付板に上下端部をビスで固定して耐火ボード８を取り付けてある。耐火ボード８の側縁部は、左右の方立材３の側面に長手方向に設けた保持部材２８に保持させてある。さらに耐火ボードの室内側面と床材の室外側面の間には、層間塞ぎ材９を設置してある。層間塞ぎ材９は、耐火ボード８の室内側面と床材１の室外側面に固定して断面Ｌ字形の塞ぎ板３２，３２を対向して設置し、形成された断面コ字形の溝内にロックウール等の耐火性充填材３６を充填したものとなっている。横材７と床材１の間は膳板２９により塞いであり、上の無目材４と天井１２の間はブラインドボックス３０により塞いである。また、下の無目材５の室外側には庇材３１を取り付けて、強い日射しが室内に射し込むのを防いでいる。
【００１０】
このように本カーテンウォールは、一階の高さ分のパネルが一枚もので構成してあるので、従来のように上下２枚のパネル取り付けを要するものに比べ、パネルの取り付けに要する工数を大幅に削減できる。また、パネルを取り付けた後に、耐火ボードの取り付け、層間塞ぎ材の設置等の床部との取り合いの工事も、順序立てて能率良く行うことができる。
【００１１】
本発明のカーテンウォールは、ここに述べた実施形態に限定されない。方立材の躯体への固定構造や、方立材同士の連結部の構造、さらにはその連結部をどの位置に持ってくるかといったことは設計的事項であり、適宜変更され得る。
【００１２】
【発明の効果】
本発明のカーテンウォールは、一階の高さ分のパネルを一枚ものにできることから、パネルが上下に分割されていた従来のカーテンウォールに比べ、施工に要する時間を大幅に短縮できるとともに、構造が簡略化されて部品点数も減少し、コストダウンを図ることができる。また同時に、パネルの上下の継ぎ目が減ることで外観意匠も向上する。しかも耐火ボード、層間塞ぎ材、耐火シールによって十分な耐火構造が構成されているから、耐火性にも優れている。
【図面の簡単な説明】
【図１】本発明のカーテンウォールの一実施形態を示す縦断面図である。
【図２】図１におけるＡ−Ａ断面図である。
【図３】カーテンウォールと床材との取合い部を拡大して示す縦断面図である。
【図４】カーテンウォールと床材との取合い部を示す斜視図である。
【図５】カーテンウォールの室外側正面図である。
【符号の説明】
１  床材
２  躯体
３  方立材
４  上の無目材
５  下の無目材
６  パネル
７  横材
８  耐火ボード
９  層間塞ぎ材
１０  耐火シール材
３３  上階
３４  中階
３５  下階
【図１】
0003921400.tif 000002
【図２】
0003921400.tif 000003
【図３】
0003921400.tif 000004
【図４】
0003921400.tif 000005
【図５】
0003921400.tif 000006